(57)【要約】【課題】対物レンズの傾角変化を少なくでき、入力電圧対変位の直線性を良好に保てるとともに可動量を適正に設定し得る光ピックアップ装置を提供する。【解決手段】磁石８に制限部材６を取り付ける。さらに、この制限部材６に突起部６ａを形成し、ホルダ２がＹ１方向に過度に変位した場合には、ホルダ内壁部２ｂと突起部６ａとを接触させてＹ１方向へのホルダ２の変位量を制限する。同様に、制限部材６に突起部６ｂを形成し、ホルダ２がＹ２方向に過度に変位した場合には、ホルダ内壁部２ｃと突起部６ｂとを接触させてＹ２方向へのホルダ２の変位量を制限する。これによりヨーク７が移動することがホルダ２の変位量の制限に影響しないようにし、磁気アンバランスの調整と、対物レンズ１の可動量を一定の範囲に制限するための調整とを個別に実施できるようにする。【選択図】    図１
2004326991.tif 000002
【特許請求の範囲】
【請求項１】
光学記録媒体に対向される対物レンズを前記光学記録媒体に対するトラッキング方向に変位させる光ピックアップ装置において、
前記対物レンズを保持するホルダと、
このホルダを前記トラッキング方向に変位自在に把持する把持部材と、
この把持部材を支持する支持部と、
この支持部が固定されるベース部と、
前記トラッキング方向に変位可能なヨーク部を介して前記ベース部に固定される磁性部材と、
前記ホルダに保持されて前記磁性部材と前記ヨーク部との間の空隙に設けられ、通電量に応じて前記磁性部材との間に生じる電磁力により前記対物レンズを前記トラッキング方向に変位させる電磁石と、
前記磁性部材に固定され、前記ホルダの前記トラッキング方向への変位量を制限する可動量制限部材とを具備することを特徴とする光ピックアップ装置。
【請求項２】
前記可動量制限部材は、前記ホルダに接触する突起部を備えることを特徴とする請求項１に記載の光ピックアップ装置。
【請求項３】
前記可動量制限部材は、前記ホルダの前記トラッキング方向への変位量の制限量を前記トラッキング方向における相対する向きに関して調整されたのち前記磁性部材に接着固定されることを特徴とする請求項１に記載の光ピックアップ装置。
【請求項４】
前記可動量制限部材は、前記ホルダの変位方向に関する傾きを調整されたのち前記磁性部材に接着固定されることを特徴とする請求項１に記載の光ピックアップ装置。
【請求項５】
さらに、前記ベース部が取り付けられ、前記対物レンズを前記光学記録録媒体に対するフォーカス方向に変位させるアクチュエータ部を備え、
前記可動量制限部材は、前記アクチュエータ部に取り付けられることを特徴とする請求項１に記載の光ピックアップ装置。
【請求項６】
さらに、前記ベース部が取り付けられ、当該ベース部を自在に稼働させるアクチュエータ部と、
このアクチュエータ部をカバーする防塵部材とを備え、
前記可動量制限部材は、前記防塵部材に取り付けられることを特徴とする請求項１に記載の光ピックアップ装置。
【発明の詳細な説明】
【０００１】
【発明の属する技術分野】
本発明は、光ディスク装置に使用される光ピックアップ装置に関する。特に本発明は、当該光ピックアップ装置のヘッドのアクチュエータ可動機構の改良に関する。
【０００２】
【従来の技術】
図４は、既存の光ピックアップ装置を示す正面図である。この光ピックアップ装置は、ＣＤ（Ｃｏｍｐａｃｔ  Ｄｉｓｋ）プレーヤやＤＶＤ（Ｄｉｇｉｔａｌ  Ｖｅｒｓａｔｉｌｅ  Ｄｉｓｋ）装置における光学記録媒体の光学信号読み取り、または書き込みヘッドとして適用される。
図４において、対物レンズ１はホルダ２により保持され、ホルダ２はワイヤ３により変位自在に架設される。ワイヤ３はその両端がワイヤホルダ４に固定され、ワイヤホルダ４はベース５に固定される。ベース５にはヨーク７を介して磁石８が接着固定され、磁石８とヨーク７との間隙には、コイル９がホルダ２に保持された状態で設けられる。コイル９に通電することによりホルダ２と磁石８との間に電磁力が生じ、ホルダ２が稼働する。これにより対物レンズ１がＹ１方向およびＹ２方向に変位する。Ｙ１方向およびＹ２方向は、光学記録媒体のトラッキング方向に対応する。
【０００３】
対物レンズ１のＹ１方向への可動量は、ホルダ内壁部２ａとヨーク７とが接触することにより制限される。同様にＹ２方向への可動量は、ホルダ内壁部２ｂとヨーク７とが接触することにより制限される。
【０００４】
ところで、対物レンズ１の稼働時には、ホルダ２と磁石８との間の磁気アンバランスを補正することが必要である。上記構成では、ヨーク７をＹ１およびＹ２方向に移動させることで磁気アンバランスが補正される。ヨーク７をＹ１方向に移動させると、ホルダ２のＹ２方向への可動量は小さくなり、Ｙ１方向への可動量は大きくなる。逆にヨーク７をＹ２方向に移動させると、ホルダ２のＹ１方向への可動量が小さくなり、Ｙ２方向への可動量が大きくなる。
【０００５】
このように磁気アンバランスをヨーク７を移動させることで補正すると、ホルダ２の可動範囲が方向ごとに変わり、方向ごとに可動範囲の大小が発生する。ホルダ２の可動量が大きくなるとそれに伴って対物レンズ１の傾きが大きくなるので、信号の読取りに支障を来たし、またワイヤ３にストレスがかかり特性が変るなどといった不具合がある。逆に可動量が小さい場合には、可動量の規格を満足できないという不具合となる。さらに、磁気アンバランスの補正量が不足したり、未補正の場合は入力電圧対変位の非直線性が生じたり、対物レンズ１の傾角が変化するといった不具合もある。
【０００６】
なお、下記特許文献１〜３に、関連する技術が開示されている。特許文献１には、対物レンズと収差補正機構とを一体に可動可能に保持することにより対物レンズと収差補正機構との位置ずれによる特性の劣化を有効に回避することのできる光ピックアップが開示される。特許文献２には、レンズ保持部材をフォーカスおよびトラッキング方向に可動自在に指示するための指示梁を高精度で製造することができ、フォーカスおよびトラッキング制御性能の向上を得られるようにした光ヘッドのレンズホルダの指示装置が開示される。特許文献３には、可動部を構成するレンズホルダと複数の駆動コイルを電気的に接続する接続線を一体に成形したレンズ駆動装置およびその製造方法が開示される。
【０００７】
【特許文献１】
特開２００３−６９０２号公報（段落番号［００２６］〜［００２９］、図１）
【０００８】
【特許文献２】
特開平１０−１０６０１３号公報（段落番号［００２１］〜［００２２］、図３）
【０００９】
【特許文献３】
特開２００１−２２９５５５号公報（段落番号［００６３］〜［００６６］、図１６）
【００１０】
【発明が解決しようとする課題】
以上述べたように既存の光ピックアップ装置では、対物レンズ１がＹ１方向、およびＹ２方向に変位する際に生じる磁気アンバランスによる特性悪化を、ヨーク７をＹ１方向またはＹ２方向に移動させることにより抑圧している。しかしながらこのような手法では、各可動方向に対する対物レンズ１の可動範囲の大小が発生する。このため信号の読取りができなくなったり、ワイヤにストレスがかかり特性が変るなどの不具合や、可動量の規格を満足できないという問題、さらには入力電圧対変位の非直線性や対物レンズの傾角変化などといった不具合も生じる。
【００１１】
本発明は上記事情によりなされたもので、その目的は、対物レンズの傾角変化を少なくでき、入力電圧対変位の直線性を良好に保てるとともに可動量を適正に設定し得る光ピックアップ装置を提供することにある。
【００１２】
【課題を解決するための手段】
上記目的を達成するために本発明は、光学記録媒体に対向される対物レンズを前記光学記録媒体に対するトラッキング方向に変位させる光ピックアップ装置において、前記対物レンズを保持するホルダと、このホルダを前記トラッキング方向に変位自在に把持する把持部材と、この把持部材を支持する支持部と、この支持部が固定されるベース部と、前記トラッキング方向に変位可能なヨーク部を介して前記ベース部に固定される磁性部材と、前記ホルダに保持されて前記磁性部材と前記ヨーク部との間の空隙に設けられ、通電量に応じて前記磁性部材との間に生じる電磁力により前記対物レンズを前記トラッキング方向に変位させる電磁石と、前記磁性部材に固定され、前記ホルダの前記トラッキング方向への変位量を制限する可動量制限部材とを具備することを特徴とする。
【００１３】
このように、ヨークの移動と関わりなく磁性部材に位置固定される部材（可動量制限部材）を新たに設け、この可動量制限部材をホルダに接触させて当該ホルダの変位量を調整することにより、磁気アンバランスの調整とホルダの可動量の調整とをそれぞれ個別に実施することが可能になる。すなわち、ヨーク７を稼働させることによりホルダ２の可動量にアンバランスが生じても、ホルダ２の可動量をこれに応じて適切に設定することが可能となる。従って磁気アンバランスの調整によりホルダの可動量のＹ１，Ｙ２方向へのアンバランスが生じることを防止でき、これにより対物レンズの傾角変化を少なくできる。従って入力電圧対変位の直線性を良好に保つことと、可動量を適正に設定することを両立可能な光ピックアップ装置を提供することができる。
【００１４】
【発明の実施の形態】
以下、図面を参照して本発明の実施の形態を詳細に説明する。なお図１〜図３において図４と共通する部分には同一の符号を付して示し、ここでは異なる部分についてのみ説明する。
【００１５】
図１は、本発明にかかる光ピックアップ装置の実施の形態を示す正面図である。図１において、磁石８に制限部材６が接着固定される。制限部材６は、突起部６ａ、６ｂを備える。突起部６ａは、ホルダ２の内壁部２ｂと対向し、この内壁部２ｂに対してＹ１方向から延設される。突起部６ｂは、ホルダ２の内壁部２ｃと対向し、この内壁部２ｃに対してＹ２方向から延設される。
【００１６】
図２は、図１の光ピックアップ装置のＡ−Ａ断面図である。制限部材６は、接着剤１０を介してベース５と接着固定される。その際、両者を接着する前に、ホルダ２の可動範囲が所要の可動範囲内に収まるように制限部材６をＹ１またはＹ２方向に移動させ、位置決めする。さらに、制限部材６の傾きに関しても、対物レンズ１の傾角が変位前の傾角と同じになるように制限部材６の傾きを調整し、位置決めする。このように制限部材の位置および傾きを調整したうえで制限部材６をベース５に接着するようにする。
【００１７】
図３は、図１の光ピックアップ装置の実施の形態を示す斜視図である。図示されるように、制限部材６の突起部６ａ、６ｂは、それぞれホルダ２の内壁部２ｂ、２ｃと対向するように設けられる。
【００１８】
上記構成において、コイル９に通電されることによりホルダ２が移動し、これとともに対物レンズ１がＹ１方向、Ｙ２方向に変位する。ホルダ２と磁石８との間の磁気アンバランスは、ヨーク７をＹ１もしくはＹ２方向に移動調整することにより補正される。
さらに、ホルダ２の可動量は次のようにして一定の範囲に制限される。すなわち、コイル９に通電され、ホルダ２がＹ１方向に変位してその変位量がＹ１方向への限度にまで達した場合には、ホルダ内壁部２ｂと突起部６ａとが接触する。これによりホルダ２のＹ１方向への移動量は一定の範囲に制限される。同様にホルダ２がＹ２方向に変位してその変位量がＹ２方向への限度にまで達した場合には、ホルダ内壁部２ｃと突起部６ｂとが接触する。これによりホルダ２のＹ２方向への移動量は一定の範囲に制限される。
【００１９】
上記構成においては、ヨーク７は、制限部材６と無関係に移動する。これは、制限部材６が磁石８に固定されていることによる。これにより、磁気アンバランス調整と、ホルダ２の可動範囲の制限とをそれぞれ独立させることができるようになる。従って、磁気アンバランスの調整と、ホルダ２の可動範囲の制限とが互いに他に影響すること無く、両立させることが可能になる。
【００２０】
さらに図２に示すように、可動制限時の対物レンズ１の傾角が変位前の傾角と同じになるように、制限部材６はその傾きを調整されたうえでベース５と接着剤１０で接着される。これによりホルダ２の可動量を制限しても対物レンズ１の傾きを一定に保つことができ、読取り信号が断絶することを防止できる。
【００２１】
このように本実施形態では、磁石８に制限部材６を取り付ける。さらに、この制限部材６に突起部６ａを形成し、ホルダ２がＹ１方向に過度に変位した場合には、ホルダ内壁部２ｂと突起部６ａとを接触させてＹ１方向へのホルダ２の変位量を制限する。同様に、制限部材６に突起部６ｂを形成し、ホルダ２がＹ２方向に過度に変位した場合には、ホルダ内壁部２ｃと突起部６ｂとを接触させてＹ２方向へのホルダ２の変位量を制限する。これによりヨーク７が移動することがホルダ２の変位量の制限に影響しないようにし、磁気アンバランスの調整と、対物レンズ１の可動量を一定の範囲に制限するための調整とを個別に実施できるようにしている。
【００２２】
このようにしたので、磁気アンバランス調整と独立して対物レンズ１の可動範囲を制限できる。従って対物レンズ１の可動範囲内での入力電圧対変位の直線性を良好に保てるとともに、対物レンズの変位による傾角変化を少なくして、信号の読取りに支障をきたしたり、ワイヤ３に物理的なストレスがかかることを防止することが可能になる。
【００２３】
なお本発明は上記実施形態に限定されるものではない。例えば、ベース部を稼働させて対物レンズ１を光学記録録媒体に対するフォーカス方向に変位させるアクチュエータ部を備える場合には、制限部材をこのアクチュエータ部に取り付けるようにしても良い。また、アクチュエータ部をカバーする防塵部材を備える場合には、この防塵部材に制限部材を取り付けるようにしても良い。
【００２４】
さらに本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００２５】
【発明の効果】
以上詳しく述べたように本発明によれば、対物レンズの傾角変化を少なくでき、入力電圧対変位の直線性を良好に保てるとともに可動量を適正に設定し得る光ピックアップ装置を提供することができる。
【図面の簡単な説明】
【図１】本発明にかかる光ピックアップ装置の実施の形態を示す正面図。
【図２】図１の光ピックアップ装置のＡ−Ａ断面図。
【図３】図１の光ピックアップ装置の実施の形態を示す斜視図。
【図４】従来の光ピックアップ装置を示す正面図。
【符号の説明】
１…対物レンズ、２…ホルダ、２ａ…ホルダ内壁部、２ｂ，２ｃ…ホルダ内壁部、３…ワイヤ、４…ワイヤホルダ、５…ベース、６…制限部材、６ａ，６ｂ…突起部、７…ヨーク、８…磁石、９…コイル、１０…接着剤
【図１】
2004326991.tif 000003
【図２】
2004326991.tif 000004
【図３】
2004326991.tif 000005
【図４】
2004326991.tif 000006